(57)【特許請求の範囲】
【請求項１】
表面側を覆う透液性トップシートと、裏面側を覆う不透液性バックシートと、前記各シート間に介在された吸収体と、前記吸収体の両側部長手方向に亘って表面側に突出して設けられた左右一対の立体ギャザーと、前記立体ギャザーの外側のサイドフラップに設けられた平面ギャザーとを具備して成る吸収性物品本体を、前記長手方向の中央部より折り畳むことにより前身頃と後身頃を形成し、また前記前身頃の腹部位置及び前記後身頃の背部位置に夫々エンドフラップを形成し、該エンドフラップのそれぞれに弾性伸縮部材を前記物品本体の幅方向に配設して構成された使い捨て吸収性物品において、液漏れ防止シートが、前記サイドフラップの前記前身頃の腹部位置両側、及び／又は、前記後身頃の背部位置両側の股間部寄りに、前記平面ギャザーの少なくとも一部と重ね合わせて設けられるとともに、前記液漏れ防止シートは、前記サイドフラップと前記エンドフラップとが重なる部分を除く部分に設けられることを特徴とする使い捨て吸収性物品。
【請求項２】
前記液漏れ防止シートは、クッション性を有する不透液性のシートであることを特徴とする請求項１に記載の使い捨て吸収性物品。
【発明の詳細な説明】
【０００１】
【発明の属する技術分野】
本発明は液漏れ防止を図った使い捨て吸収性物品に関し、脚周り、とくに後部脇部からの液漏れを防止した、使い捨ておむつで代表される使い捨て吸収性物品に関する。
【０００２】
【従来の技術】
一般に、使い捨ての吸収性物品、その主たる使い捨ておむつでは、ゴム紐等の弾性伸縮部材で形成された所謂ギャザーを脚部や腰部に設け、このギャザーを延伸させた状態で脚周りや腰周りに固定し、弾性体の収縮力を利用して身体に密着させることにより尿等の体液の漏れを防止している。
【０００３】
図７はその一例である公知の使い捨ておむつの基本構成を示す一部破断平面図で、おむつ本体を展開して表面側から見たものであり、図８はこのおむつの使用状態を示す斜視図である。
【０００４】
すなわち、この使い捨ておむつ１は、裏面側を覆うポリエチレンフィルム等から成る不透液性のバックシート２と、表面側を覆う不織布等から成るトップシート３と、前記シート２，３間に介在された綿状パルプ等から成る吸収体４と、前記吸収体４の両側部長手方向に亘って表面側に突出して設けられた撥水処理不織布等から成る左右一対の立体ギャザー５，５と、前記立体ギャザー５，５の外側のサイドフラップ６，６に配置された不織布等から成る平面ギャザー７，７とによりおむつ本体１ａが形成され、装着に際してはこのおむつ本体１ａを身体の股間部に当接後、図８に示すように、前記長手方向の中央部より折り畳むことにより前身頃８ｆと後身頃８ｂを形成し、後身頃８ｂの背部位置９ｂの両側部に連結されたファスニングテープ１０，１０を前身頃８ｆの腹部位置９ｆに止着して使用されるものである。この背部位置９ｂ及び腹部位置９ｆには夫々エンドフラップ１１ｂ，１１ｆが形成されている。
【０００５】
前記立体ギャザー５，５は、不織布等から成るギャザーシート１２の突出端部にゴム紐等から成る一本の弾性伸縮部材１３ｒを長手方向に配設して形成され、また、前記平面ギャザー７，７は同様な複数本の弾性伸縮部材１３ｓを長手方向に配設して形成されている。さらにまた、前記エンドフラップ１１ｂ，１１ｆは、夫々同様な複数本の弾性伸縮部材１３ｂ，１３ｆを幅方向に配設して形成されている。これらの弾性伸縮部材１３ｒ，１３ｓ，１３ｂ，１３ｆは着用したおむつ１を身体にしっかり保持する機能を有するもので、とくに平面ギャザー７，７に設けられる弾性伸縮部材１３ｓは、着用したおむつ１を脚周りにピッタリと保持することによりフィット性を向上させ、おむつずれを防止すると共に、立体ギャザー５，５を脚周りに沿って起立した状態に保持する機能を有している。
【０００６】
【発明が解決しようとする課題】
しかしながら、以上のとおり構成されたこのおむつ１においては、立体ギャザー５，５を形成する弾性伸縮部材１３ｒ，１３ｒと直交する方向に多条のしわと隙間を生じるため、図７に矢印Ｘで示すように、体液がこの隙間を通り、さらに平面ギャザー７，７の上方部とエンドフラップ１１ｂとの間（又は平面ギャザー７，７の下方部とエンドフラップ１１ｆとの間）を通って脚周り、とくに後部脇部から外に漏れ出したり沁み出すという問題があった。
【０００７】
そこで、このような漏れや沁み出しを防止するために、とくに平面ギャザー７，７の弾性伸縮部材１３ｓ，１３ｓの強度をアップし、おむつ本体１ａを身体に、とくに脚周りに強く締め付ける必要があるが、これが強過ぎると幼児等の柔軟な肌に締め付け跡や擦り傷を付けることになるため、この強度には限界があった。
【０００８】
上記実情に鑑み、例えば特開２００１−１４５６６５号公報には、図９に展開平面図で示すように、上述した従来のおむつ１におけるサイドフラップ６，６（又は立体ギャザー５，５）の位置に収縮性と非収縮性とから成る収縮シート材１４，１４を配置し、かつサイドフラップ６，６（又は立体ギャザー５，５）を内方に向かって湾曲させることにより漏れ防止を図った使い捨ておむつ１’が提案されている。
【０００９】
しかしながら、この使い捨ておむつ１’は、複数種のシート材から成る収縮シート材１４，１４を内方に向かって湾曲させておむつ本体１ａ’を形成する必要があるため、構造が複雑となり、材料費や工数が増えて製品コストがアップする欠点があった。とくにこのような収縮シート材１４，１４をサイドフラップ６，６に配設したものにおいては、図９に矢印Ｙで示すように、立体ギャザー５，５の隙間を通り抜けた体液が、さらに平面ギャザー７，７の上方部を通り、収縮シート材１４，１４と平面ギャザー７，７との間隙を通って脚周り、とくに後部脇部から外に漏れ出したり沁み出す懸念があった。
【００１０】
本発明は、上述したような実情によりなされたもので、その目的とするところは、特に後部脇部からの体液の漏れや沁み出しを確実に防止し得る、構造がシンプルで安価な使い捨て吸収性物品を提供することにある。
【００１１】
本発明の上記目的は、表面側を覆う透液性トップシートと、裏面側を覆う不透液性バックシートと、前記各シート間に介在された吸収体と、前記吸収体の両側部長手方向に亘って表面側に突出して設けられた左右一対の立体ギャザーと、前記立体ギャザーの外側のサイドフラップに設けられた平面ギャザーとを具備して成る吸収性物品本体を、前記長手方向の中央部より折り畳むことにより前身頃と後身頃を形成し、また前記前身頃の腹部位置及び前記後身頃の背部位置に夫々エンドフラップを形成し、該エンドフラップのそれぞれに弾性伸縮部材を前記物品本体の幅方向に配設して構成された使い捨て吸収性物品において、液漏れ防止シートが、前記サイドフラップの前記前身頃の腹部位置両側、及び／又は、前記後身頃の背部位置両側の股間部寄りに、前記平面ギャザーの少なくとも一部と重ね合わせて設けられるとともに、前記液漏れ防止シートは、前記サイドフラップと前記エンドフラップとが重なる部分を除く部分に設けられることを特徴とする使い捨て吸収性物品によって達成される。
【００１４】
さらにまた、本発明の上記目的は、前記液漏れ防止シートは、クッション性を有する不透液性のシートであることを特徴とする使い捨て吸収性物品によってより効果的に達成される。
【００１５】
以下、本発明の内容を、テープ式使い捨ておむつを例に詳述する。なお、以下の説明では上述した従来の物品と同一ないし共通する構成要素には同一の符号を付して説明する。
【００１６】
【発明の実施の形態】
図１は、本発明の第１実施形態に係るテープ式の使い捨ておむつ（以下「おむつ」という）２１を展開して表面側から見た平面図であり、図２は図１のＡ−Ａ断面矢視図である。本おむつ２１は、表面側を覆う透液性トップシート２と、裏面側を覆う不透液性バックシート３と、前記各シート２，３間に介在された吸収体４と、前記吸収体４の両側部長手方向に亘って表面側に突出して設けられた左右一対の立体ギャザー５，５と、前記立体ギャザー５，５の外側のサイドフラップ６，６に設けられた平面ギャザー７，７とを具備してなるおむつ本体２１ａを、前記長手方向の中央部より折り畳むことにより、前述した図８の前身頃８ｆと後身頃８ｂを形成し、前身頃８ｆの腹部位置９ｆ及び後身頃８ｂの背部位置９ｂに夫々エンドフラップ１１ｆ，１１ｂを形成し、このエンドフラップ１１ｆ，１１ｂのそれぞれに弾性伸縮部材１３ｆ，１３ｂを、おむつ本体２１ａの幅方向に配設して構成されたおむつにおいて、前記後身頃８ｂの背部位置９ｂの両側下方、すなわち股間部寄りのサイドフラップ６，６に、外形がサイドフラップ６，６の外形と一致して形成された２枚の液漏れ防止シート２２，２２を付設したものである。
【００１７】
この液漏れ防止シート２２，２２は、例えば発泡ウレタン、防水処理をした不織布、プラスチックフィルム、あるいはゴム等の、柔軟性とクッション性を有する不透液性のシート材料から成り、図２に片側の断面図で示すように、液漏れ防止シート２２の内側端部の一部を平面ギャザー７の少なくとも一部、すなわち外側端部の一部と重ね合わせ、適当な接着剤、あるいは熱溶着等により、連続した×印で示すような接着層をもってギャザーシート１２に全面が接着されている。なお、図２において、１６Ａは吸収体４を被覆する上層クレープ紙、１６Ｂは下層クレープ紙、１７はバックシート２の内部に配設された防水フィルムでいずれも公知のものである。
【００１８】
本おむつ２１はこのように作られているので、立体ギャザー５，５の隙間からとくに背部方向に漏れ出した体液は、平面ギャザー７，７に交差して付設された前記液漏れシート２２，２２によって完全に遮断されるために、背部側を通り脚周り、すなわち後部脇部から外に漏れたり、あるいは沁み出したりすることが防止される。
【００１９】
図３は、本発明の第２実施形態に係るおむつ３１を展開して表面側から見た平面図である。図示するように、本おむつ３１は前記第１実施形態の液漏れ防止シート２２と形状及び材質が実質的に同一な２枚の液漏れシート３２，３２を、腹部位置９ｆの両側上方、すなわち股間部寄りのサイドフラップ６，６に付設したものである。
【００２０】
本おむつ３１はこのように作られているので、前記同様に、立体ギャザー５，５の隙間からとくに腹部方向に漏れ出した体液は、平面ギャザー７，７に交差して付設された前記液漏れシート３２，３２によって完全に遮断されるために、腹部側を通り脚周りから外に漏れたり、あるいは沁み出したりすることが防止される。
【００２１】
図４は、本発明の第３実施形態に係るおむつ４１を展開して表面側から見た平面図である。図示するように、本おむつ４１は、前記第１実施形態と第２実施形態の合体型であり、前記液漏れ防止シート２２又は３２と形状及び材質が実質的に同一な４枚の液漏れシート４２，４２，４２，４２を、背部位置９ｂの両側下方及び腹部位置９ｆの両側上方のサイドフラップ６，６に付設したものである。
【００２２】
本おむつ４１によれば、液漏れシート４２が背部側と腹部側の両方に付設されているので、立体ギャザー５，５の隙間を通り、上下いずれの方向に漏れ出した体液も脚周りから外に漏れ出したり沁み出すことが防止される。
【００２３】
図５は、本発明の第４実施形態に係るおむつ５１を展開して表面側から見た平面図である。図示するように、本おむつ５１には、前記液漏れ防止シート２２ないし４２と実質的に同一の材質から成り、平面ギャザー７，７の外側のサイドフラップ６，６の外形と一致して、サイドフラップ６，６に、前身頃８ｆの腹部位置９ｆから後身頃８ｂの背部位置９ｂまでおむつ本体５１ａの長手方向に亘って連続して形成された２枚の液漏れ防止シート５２，５２が付設されている。なお、この液漏れ防止シート５２，５２の一端部が平面ギャザー７，７の一部と重ね合わせて設けられている点は前記同様である。
【００２４】
本おむつ５１は、このように液漏れ防止シート５２，５２が上下方向に連続して付設されているので、体液が立体ギャザー５，５から漏れ出したり、沁み出し、さらに平面ギャザー７，７の幅方向に形成された微細な間隙を通って外に出ようとしても、この長手方向に連続して付設された液漏れシート５２，５２により確実に漏れや沁み出しが防止される。また、このように脚周り全体に連続した液漏れ防止シート５２，５２を設けた本おむつ５１によれば、幼児等の柔らかな脚部をクッション性のある柔軟なシートで押えることになるため、着用者にとって肌触りがよくなり、また、側方から脚周りの内部が隠蔽されるので見栄えがよくなる利点がある。
【００２５】
以上の実施形態はいずれも、液漏れ防止シートを平面ギャザーと交差させて付設する場合であるが、本発明はこれに限らず、例えば図６に示すように、この液漏れ防止シートを平面ギャザーの外側に付設することも可能である。
【００２６】
図６は、本発明の第５実施形態に係るおむつ６１を展開して表面側から見た平面図である。図示するように、本おむつ６１では、前記第４実施形態における液漏れ防止部材５２，５２と形状及び材質が実質的に同一な２枚の液漏れ防止シート６２，６２が平面ギャザー７，７の外側で隣接して、すなわち平面ギャザー７，７と重なり合わないようにサイドフラップ６，６に付設されている。
【００２７】
このように、本おむつ６１では液漏れ防止シート６２，６２と平面ギャザー７，７とが交差せず、隣接した状態で付設されているが、本おむつ６１によっても、前記第４実施形態の場合と殆ど同様な効果が得られることが本発明者の実技テストにより確認されている。
【００２８】
以上に説明した各液漏れシートは、いずれも構造的に見て極めてシンプルであり、また材質的にも特異なものではなく安価に入手できるものである。
【００２９】
なお、本発明の内容をテープ式の使い捨ておむつを例に説明したが、本発明は、パンツ式の使い捨ておむつはもとより、失禁パットや生理用ナプキン等の使い捨て吸収性物品にも適用可能であることはいうまでもない。
【００３０】
【発明の効果】
以上に詳述したように、本発明によれば、脚周り、とくに後部脇部からの体液の漏れや沁み出しを確実に防止し得る安価な使い捨て吸収性物品を提供することができる。
【００３１】
とくに、脚周りに連続した液漏れ防止シートを設けた使い捨て吸収性物品によれば、上記体液の漏れや沁み出しを一層確実に防止できると共に、肌触りがよく、かつ側方からの見栄えがよくなるという顕著な効果を奏する。
【図面の簡単な説明】
【図１】本発明の第１実施形態に係るテープ式の使い捨ておむつの展開平面図である。
【図２】図１のＡ−Ａ断面矢視図である。
【図３】本発明の第２実施形態に係るテープ式の使い捨ておむつの展開平面図である。
【図４】本発明の第３実施形態に係るテープ式の使い捨ておむつの展開平面図である。
【図５】本発明の第４実施形態に係るテープ式の使い捨ておむつの展開平面図である。
【図６】本発明の第５実施形態に係るテープ式の使い捨ておむつの展開平面図である。
【図７】従来のテープ式の使い捨ておむつの展開平面図である。
【図８】従来のテープ式の使い捨ておむつの使用状態を示す斜視図である。
【図９】従来のテープ式の使い捨ておむつの要部を示す展開平面図である。
【符号の説明】
２                  バックシート
３                  トップシート
４                  吸収体
５                  立体ギャザー
６                  サイドフラップ
７                  平面ギャザー
８ｆ                前身頃
８ｂ                後身頃
９ｂ                背部位置
９ｆ                腹部位置
１０                ファスニングテープ
１１ｂ，ｆ          エンドフラップ
１２                ギャザーシート
１３ｂ，ｆ，ｒ，ｓ  弾性伸縮部材
１４                収縮シート
２２                （第１実施形態の）液漏れ防止シート
３２                （第２実施形態の）液漏れ防止シート
４２                （第３実施形態の）液漏れ防止シート
５２                （第４実施形態の）液漏れ防止シート
６２                （第５実施形態の）液漏れ防止シート
【図１】
0004167824.tif 000002
【図２】
0004167824.tif 000003
【図３】
0004167824.tif 000004
【図４】
0004167824.tif 000005
【図５】
0004167824.tif 000006
【図６】
0004167824.tif 000007
【図７】
0004167824.tif 000008
【図８】
0004167824.tif 000009
【図９】
0004167824.tif 000010